(57)【要約】【課題】光利用効率が高い導光板、複数の照明領域を備えた照明装置、この照明装置を用いた電気光学装置及び電子機器を提供することを目的とする。【解決手段】導光板１２の第１の照明領域１２１を囲うように反射率の高い第２部材１２５を設けることにより、第２部材１２５により第１の照明領域以外への光漏れが遮断され、また第２部材１２５により囲まれた領域に配置される光源１１から出射し第２部材１２５に向かって進む光は第２部材１２５によって反射して液晶パネル４００を照明する光として用いられるので、液晶パネル４００への光入射率が向上し、光利用効率に優れている。【選択図】　図７
2004101742.tif 000002
【特許請求の範囲】
【請求項１】
隣り合う第１の照明領域と第２の照明領域とを有する導光板であって、
前記導光板は、第１部材と、前記第１の照明領域を囲う前記第１部材よりも反射率の高い第２部材とからなることを特徴とする導光板。
【請求項２】
前記第１の照明領域の導光板へ、前記第２部材により囲まれた領域のうち前記第２の照明領域に近い領域に配置される光源からの光が入射されることを特徴とする請求項１記載の導光板。
【請求項３】
前記第２部材は、前記第２の照明領域から遠くなるに従って、反射率が高くなっていることを特徴とする請求項２記載の導光板。
【請求項４】
隣り合う第１の照明領域と第２の照明領域とを有する導光板であって、
前記導光板は、第１部材と、前記第１の照明領域と前記第２の照明領域との間にこれら２つの照明領域が隣り合う部分に沿って配置された前記第１部材よりも反射率の高い第２部材とからなることを特徴とする導光板。
【請求項５】
前記第２部材は、前記第１の照明領域の前記第２の照明領域と隣り合う部分に沿って互いに間隙をもって複数配置されていることを特徴とする請求項４記載の導光板。
【請求項６】
前記第１の照明領域の導光板へ、前記第１の照明領域と前記第２部材との間に配置される光源からの光が入射されることを特徴とする請求項４または請求項５記載の導光板。
【請求項７】
前記第１部材は透明色を有し、前記第２部材は白色を有することを特徴とする請求項１、請求項２、請求項４から請求項６いずれか一項に記載の導光板。
【請求項８】
前記導光板は、前記第２の照明領域を囲う前記第１部材よりも反射率の高い第３部材を更に有することを特徴とする請求項１から請求項７いずれか一項に記載の導光板。
【請求項９】
請求項１から請求項８いずれか一項に記載の導光板と、
前記導光板の前記第１の照明領域に光を入射する光源部と
を有する照明装置。
【請求項１０】
前記光源部は、前記第１の照明領域と前記第２の照明領域との間に設けられていることを特徴とする請求項９記載の照明装置。
【請求項１１】
請求項９または請求項１０記載の照明装置と、
前記第１の照明領域に対応して配置された前記光源からの光によって所定の表示を行う電気光学パネルと、
を備えることを特徴とする電気光学装置。
【請求項１２】
請求項１１記載の電気光学装置と、
前記第２の照明領域に対応して配置された複数のキーボタンと
を具備することを特徴とする電子機器。
【請求項１３】
前記電子機器は携帯電話機であることを特徴とする請求項１２記載の電子機器。
【請求項１４】
請求項９または請求項１０記載の照明装置と、
前記第１の照明領域に対応して配置された前記光源からの光によって所定の表示を行う電気光学パネルと、
前記第２の照明領域に対応して配置された第２のパネルと
を具備することを特徴とする電子機器。
【請求項１５】
前記第２のパネルは、入力用パネルであることを特徴とする請求項１４記載電子機器。
【発明の詳細な説明】
【０００１】
【発明の属する技術分野】
本発明は、導光板、複数の照明領域を備えた照明装置、この照明装置を用いた電気光学装置及び電子機器に関するものである。
【０００２】
【従来の技術】
携帯電話機などの電子機器では、内部に構成した照明装置によって、液晶装置にバックライト光を照射するとともに、キーボタンを内部から照明するように構成されている（例えば、特許文献１参照）。
【０００３】
このような電子機器は、従来、例えば、以下に説明するように構成される。
【０００４】
図１８において、従来の携帯電話機１は、下ケース６、回路基板７、照明装置１０、光拡散シート８、液晶装置４００、及び上ケース９がこの順に重ねられた構成になっている。ここで、照明装置１０は、光源１１、透明なプラスチック成形品などからなる導光板１２００、プラスチック成形品などからなる第１の反射材１５、およびシート状の第２の反射材１７から構成されている。
【０００５】
導光板１２００には、液晶装置４００が配置される液晶装置４００の表示領域に対応する第１の照明領域１２１が矩形の凹部として形成されているとともに、第１の照明領域１２１に隣接する領域には、複数のキーボタン１０１が配置される第２の照明領域１２２が形成されている。照明装置１０では、第１の照明領域１２１の下面には、第１の反射材１５が重なるようになっている。一方、第２の照明領域１２２には、シート状の第２の反射材１７が重ねられている。導光板１２００の上端部分には、ＬＥＤなどの光源１１を配置する凹部１２６が形成されている。なお、上ケース９の操作部３、導光板１２の第２の照明領域１２２、及び第２の反射材１７には、透光性を有するキーボタン１０１が配置されるボタン穴９０、１２０，１７０が形成されている。
【０００６】
このように構成した照明装置１０において、導光板１２００の上端部分に設けられた光源１１から出射された光は、導光板１２００に入射し、この導光板１２００に入射した光は、第１の照明領域１２１において液晶装置４００を下方から照明する。一方、第２の照明領域１２２に配置された光源から出射された光は、導光板１２００に入射し、この導光板１２００に入射した光は、第２の照明領域１２２において複数のキーボタン１０１を下方から照射する。
【０００７】
【特許文献１】
特開２００２−７７９６８号公報（第５頁、図２―図４）
【発明が解決しようとする課題】
しかしながら、従来の照明装置１０においては、導光板１２００の液晶装置４００に対して光が出射される発光面以外の部分から光漏れが生じ、第１の照明領域における輝度が低下するという問題があった。
【０００８】
本発明は、上記事情に鑑みてなされたものであり、光利用効率が高い導光板、複数の照明領域を備えた照明装置、この照明装置を用いた電気光学装置及び電子機器を提供することを目的とする。
【０００９】
【課題を解決するための手段】
本発明の導光板は、隣り合う第１の照明領域と第２の照明領域とを有する導光板であって、前記導光板は、第１部材と、前記第１の照明領域を囲う前記第１部材よりも反射率の高い第２部材とからなることを特徴とする。
【００１０】
本発明のこのような構成の導光板と第１の照明領域を照明する光源とを有する照明装置では、導光板の第１の照明領域を囲うように反射率の高い第２部材が設けられているので、第１の照明領域に対応する導光板に入射した光源からの光は、第２部材により第１の照明領域以外への光漏れが遮断され、また第２部材に向かって進む光は第２部材によって反射して第１の照明領域を照明する光として用いられるので、第１の照明領域内での光利用効率に優れ、輝度の高い照明装置を得ることができる。
【００１１】
また、前記第１の照明領域の導光板へ、前記第２部材により囲まれた領域のうち前記第２の照明領域に近い領域に配置される光源からの光が入射されることを特徴とする。
【００１２】
このように光源を第１の照明領域と第２の照明領域との間に設ける場合においても、第２部材により囲まれた領域に光源を配置することにより、第１の照明領域から第２の照明領域への光漏れを防止することができ、第１の照明領域の輝度を向上することができる。
【００１３】
また、前記第２部材は、前記第２の照明領域から遠くなるに従って、反射率が高くなっていることを特徴とする。
【００１４】
第１の照明領域において、光源に近い領域ほど輝度が高くなり、面内での輝度が不均一になる傾向にあるが、このように第２部材を、第２の照明領域から遠くなるに従って、言い換えると、光源から遠くなるに従って、反射率が高くなるようにすることにより、第１の照明領域での輝度を面内均一とすることができる。
【００１５】
本発明の他の導光板は、隣り合う第１の照明領域と第２の照明領域とを有する導光板であって、前記導光板は、第１部材と、前記第１の照明領域と前記第２の照明領域との間にこれら２つの照明領域が隣り合う部分に沿って配置された前記第１部材よりも反射率の高い第２部材とからなることを特徴とする。
【００１６】
本発明のこのような構成の導光板と第１の照明領域を照明する光源とを有する照明装置では、反射率の高い第２部材を設けることにより、第１の照明領域に対応する導光板に入射し、第２部材に向かって進む光源の光は、第２部材によって反射し第１の照明領域を照明する光として用いられるので、第１の照明領域内での光利用効率に優れ、輝度の高い照明装置を得ることができる。
【００１７】
また、前記第２部材は、前記第１の照明領域の前記第２の照明領域と隣り合う部分に沿って互いに間隙をもって複数配置されていることを特徴とする。
【００１８】
このように、第２部材を互いに間隙をもって複数設けることができ、第１の照明領域に対応する導光板に入射した光のうち第２の照明領域に向かって進む光は、一部は、第２部材によって反射し第１の照明領域を照明する光として用いられるので、第１の照明領域内での光利用効率に優れ、輝度の高い照明装置を得ることができる。また、残りの光は、隣り合う第２部材間の間隙を通って、第２の照明領域を照明することができる。従って、共通の光源で、第１の照明領域及び第２の照明領域を照明することができるので、第２の照明領域を照明するだけの光源を設けるとしても、この光源については、光量が少なくてすむ分、消費電力の小さなものを用いることができる。あるいは、第２の照明領域を照明するだけの光源を省略することも可能である。
【００１９】
また、前記第１の照明領域の導光板へ、前記第１の照明領域と前記第２部材との間に配置される光源からの光が入射されることを特徴とする。
【００２０】
このように光源を第１の照明領域と第２の照明領域との間に設ける場合においても、第１の照明領域から第２の照明領域へ向かって進む光の一部または全ては、第２部材に反射して、第１の照明領域を照明する光として用いられるので、第１の照明領域の輝度を向上することができる。
【００２１】
また、前記第１部材は透明色を有し、前記第２部材は白色を有することを特徴とする。
【００２２】
このように、第１部材として透明色を有する部材、第２部材として透明色よりも反射率の高い白色を有する部材を用いることができる。
【００２３】
また、前記導光板は、前記第２の照明領域を囲う前記第１部材よりも反射率の高い第３部材を更に有することを特徴とする。
【００２４】
このように、第２の照明領域を囲う第３部材を設けることにより、第２の照明領域に対応する導光板に入射し、第３部材に向かって進む光は、第３部材によって反射し第２の照明領域を照明する光として用いられるので、第２の照明領域内での光利用効率に優れ、輝度の高い照明装置を得ることができる。
【００２５】
本発明の照明装置は、上述に記載の導光板と、前記導光板の第１の照明領域に光を入射する光源部とを有することを特徴とする。
【００２６】
本発明のこのような構成によれば、光源からの光利用効率に優れた輝度の高い照明装置を得ることができる。
【００２７】
また、前記光源部は、前記第１の照明領域と前記第２の照明領域との間に設けられていることを特徴とする。
【００２８】
このように光源を第１の照明領域と第２の照明領域との間に設けることができる。
【００２９】
本発明の電気光学装置は、上述に記載の照明装置と、前記第１の照明領域に対応して配置された前記光源からの光によって所定の表示を行う電気光学パネルと、を備えることを特徴とする。
【００３０】
本発明のこのような構成によれば、輝度の高い照明装置を用いているので、表示品位の高い表示部を有する電気光学装置を得ることができる。
【００３１】
本発明の電子機器は、上述に記載の電気光学装置と、前記第２の照明領域に対応して配置された複数のキーボタンとを具備することを特徴とする。
【００３２】
本発明のこのような構成によれば、輝度の高い照明装置を用いているので、表示品位の高い表示部とキーボタン部とを有する電子機器を得ることができる。また、キーボタンが透光性を有し、導光板の前記第２の照明領域にキーボタンが配置されるボタン穴を形成することにより、キーボタン部が発光する電子機器を得ることができる。
【００３３】
また、前記電子機器は携帯電話機であることを特徴とする。
【００３４】
このように表示部及びキーボタン部を有する電子機器として携帯電話機に適用することができる。
【００３５】
上述に記載の照明装置と、前記第１の照明領域に対応して配置された前記光源からの光によって所定の表示を行う電気光学パネルと、前記第２の照明領域に対応して配置された第２のパネルとを具備することを特徴とする。
【００３６】
本発明のこのような構成によれば、輝度の高い照明装置を用いているので、表示品位の高い表示部及び第２のパネル部を有する電子機器を得ることができる。
【００３７】
また、前記第２のパネルは、入力用パネルであることを特徴とする。
【００３８】
このように、第２の照明領域に対応する部分に第２のパネルとしてタッチパネルのような入力用パネルを配置することができ、表示部と入力用パネルとを有する電子機器を得ることができる。
【００３９】
【発明の実施の形態】
以下に、本発明が適用された電子機器の一例である携帯電話機について図１及び図２を用いて説明する。尚、本形態の照明装置及び電子機器の基本的な構成は、従来のものと共通するので、共通する部分には同一の符号を付して説明する。
【００４０】
図１は、本発明が適用された電子機器の一例である携帯電話機の外観を示す斜視図である。図２はこの携帯電話機の要部の構成を示す分解斜視図である。
【００４１】
図１において、携帯電話機１には、その上半部分に、電気光学パネルとしての液晶パネル４００を用いた表示部２が構成され、下半分には、複数のキーボタン１０１が配置された操作部３が構成されている。表示部２の上方位置にはスピーカ穴４が形成され、操作部の下方位置にはマイク穴５が形成されている。
【００４２】
図２に示すように、携帯電話機１は、下ケース６、この携帯電話機１の全ての機能を担う各種の電気回路が形成された回路基板７、照明装置１０、光拡散シート８、電気光学パネルとしての各種の表示を行う液晶パネル４００、および上ケース９がこの順に重ねられた構成になっている。なお、図２には、スピーカあるいはマイクなどの図示を省略してある。
【００４３】
次に、液晶パネル４００の構成について、図３〜図５を用いて説明する。
【００４４】
図３及び図４はそれぞれ、液晶パネル４００の斜視図及び分解斜視図である。図５は、液晶パネル４００を図３の線Ｉ−Ｉ´で切断したときのＩ´側の端部の断面図である。
【００４５】
図３及び図４において、液晶パネル４００は、例えばパッシブマトリクス型のカラー液晶パネルであり、所定の間隙を介してシール材４３０によって貼りあわされた矩形のガラスなどからなる一対の透明基板間にシール材４３０によって液晶封入領域４３５が区画されているとともに、この液晶封入領域４３５内に電気光学物質としての液晶４０４が封入されている。ここでは、前記一対の透明基板のうち、液晶封入領域４３５内で縦方向に延びる複数列の第１の電極パターン４４０が形成されている方の基板を第１の透明基板４１０とし、液晶封入領域４３５内で横方向に延びる複数列の第２の電極パターン４５０が形成されている方の基板を第２の透明基板４２０とする。
【００４６】
ここに示す液晶装置４００は透過型であり、図２に示す照明装置１０をバックライトとして所定の表示を行う。このため、第２の透明基板４２０の外側表面には偏光板４６１が貼られ、第１の透明基板４１０の外側表面には偏光板４６２が貼られている。
【００４７】
図５に示すように、第２の透明基板４２０には、第１の電極パターン４４０と第２の電極パターン４５０との交点に相当する領域に、赤（Ｒ）、緑（Ｇ）、青（Ｂ）のカラーフィルタ４０７Ｒ、４０７Ｇ、４０７Ｂの表面側に絶縁性の平坦化膜４２６、第２の電極パターン４５０、および配向膜４２２がこの順に形成されている。これに対して、第１の透明基板４１０には、第１の電極パターン４４０及び配向膜４１２がこの順に形成されている。この液晶パネル４００において、第１の電極パターン４４０及び第２の電極パターン４５０は、いずれもＩＴＯ膜（Ｉｎｄｉｕｍ　Ｔｉｎ　Ｏｘｉｄｅ／透明導電膜）によって形成されている。
【００４８】
このように構成した液晶パネル４００では、第１の透明基板４１０の側から入射した光は、第２の透明基板４２０の側から出射され、その間に液晶４０４による光変調が行われる。
【００４９】
再び、図３及び図４において、液晶パネル４００では、外部から信号入力及び基板間の導通のいずれを行うにも、第１の透明基板４１０及び第２の透明基板４２０の同一方向に位置する各基板辺４１８，４２８付近において第１の透明基板４１０及び第２の透明基板４２０のそれぞれに形成されている第１の端子形成領域４１１及び第２の端子形成領域４２１が用いられる。ここで、第２の透明基板４２０としては、第１の透明基板４１０よりも大きな基板が用いられ、第１の透明基板４１０と第２の透明基板４２０とを貼り合わせたときに第１の透明基板４１０の基板辺４１８から第２の透明基板４２０が張り出す部分４２５に形成されている各端子をラバーコネクタあるいはフレキシブル基板を介して回路基板７（図２参照）に電気的に接続する。
【００５０】
このため、第２の透明基板４２０において、第２の端子形成領域４２１は、基板辺４２１に近い部分が第１の透明基板４１０から張り出した部分４２５に形成され、この基板辺４２１に近い端子領域部分の表面は開放状態にある。これに対して、第２の透明基板４２０において、第２の端子形成領域４２１の液晶封入領域４３５の側に位置する部分は、第１の透明基板４１０の側との基板間導通用に用いられるので、第２の端子形成領域４２１のうち、液晶封入領域４３５の側に位置する部分は、第１の透明基板４１０との重なり部分に形成されている。
【００５１】
また、第１の透明基板４１０において、第１の端子形成領域４１１は、第２の透明基板４２０の側との基板間導通に用いられるので、第２の透明基板４２０の側との基板間導通に用いられるので、第２の透明基板４２０との重なり部分について形成されている。
【００５２】
従って、第１の透明基板４１０と第２の透明基板４２０とを導通材を含有するシール材４３０で貼り合わせて基板間で基板間導通用端子同士を導通させた状態で、第２の透明基板４２０の第２の端子形成領域４２１を介して回路基板７から信号入力すれば、第１の電極パターン４４０および第２の電極パターン４５０に所定の電圧を印加できるので、第１の電極パターン４４０と第２の電極パターン４５０との交点に相当するが素を各々駆動することができる。
【００５３】
次に照明装置１０について説明する。
【００５４】
図２に示すように、照明装置１０は、ＬＥＤなどからなる光源１１、導光板１２（１０１２，１１１２，１２１２，１３１２）、プラスチック成形品などからなる第１の反射材１５、およびシート状の第２の反射材１７から構成されている。
【００５５】
照明装置１０において、導光板１２（１０１２，１１１２，１２１２，１３１２）には、液晶パネル４００が配置される第１の照明領域１２１が矩形の凹部として形成されているとともに、第１の照明領域１２１に隣り合う領域には、複数のキーボタン１０１が配置される第２の照明領域１２２が形成されている。導光板１２の第１の照明領域１２１と第２の照明領域１２２との間には例えば２箇所、第２の照明領域１２２のほぼ中央部には例えば１箇所、ＬＥＤなどからなる光源１１をそれぞれ配置する凹部１２６が形成されている。導光板１２（１０１２，１１１２，１２１２，１３１２）の液晶パネル４００が配置される凹部では、底壁１２４の先端側の隅部分に、液晶パネル４００と回路基板７とをフレキシブル基板やラバーコネクタなどを介して電気的に接続するための矩形の貫通穴１２５が形成されている。尚、第２の照明領域１２２における凹部１２６内に設けられる光源１１の図示を省略している。
【００５６】
第１の反射材１５は、導光板１２（１０１２，１１１２，１２１２，１３１２）の矩形の第１の照明領域１２１の下面に重ねられる底壁部分１５４を有している。第１の反射材１５の底壁部分１５４にも、導光板１２の貫通穴１２５と重なる位置に矩形の貫通穴１５５が形成されている。本形態においては、第１の反射材１５は、全体が白色のプラスチック成形品から構成されている。あるいは、第１の反射材１５において、底壁部分１５４に反射性を有する塗料を塗布、あるいは反射シート貼り付けることにより、これらの面を反射面とすることができる。
【００５７】
一方、第２の照明領域１２２には、第１の反射材１５とは別体のシート状の第２の反射材１７が重ねられている。
【００５８】
上ケース９の操作部３、導光板１２（１０１２，１１１２，１２１２，１３１２）の第２の照明領域１２２、及びシート状の第２の反射材１７には、透光性を有するキーボタン１０１が配置されるボタン穴９０、１２０，１７０が互いに重なる位置に形成され、これらの複数のボタン穴９０、１２０、１７０の内部にキーボタン１０１がそれぞれ配置される。
【００５９】
次に、上述の導光板１２（１０１２，１１１２，１２１２，１３１２）の詳細な構造について説明する。
【００６０】
（第１実施形態）
第１実施形態の導光板１２について、図６〜図８を用いて説明する。
【００６１】
図６は、光源から出射され、導光板１２に入射した光の流れを示す図である。図７は、導光板１２の構造を説明する概略図であり、図７（Ａ）は、図７（Ｂ）導光板１２の線７Ａ−７Ａ´で切断した断面図、図７（Ｂ）は導光板１２の平面図である。尚、図２に示す貫通穴１２５の図示をこれらの図では省略している。図８は、携帯電話機１としたときの、導光板１２、液晶パネル４００、第２の反射材１７、第１の反射材１５及び回路基板７との位置関係を示す図である。
【００６２】
図７及び図８に示すように、導光板１２は、液晶パネル４００が配置される第１の照明領域１２１部分が矩形の凹部として形成されているとともに、第１の照明領域１２１に隣り合う領域には、複数のキーボタン１０１が配置される第２の照明領域１２２が形成されている。導光板１２の第１の照明領域１２１と第２の照明領域１２２との間であって、第１の照明領域１２１側には例えば２箇所、第２の照明領域１２２のほぼ中央部には例えば１箇所、ＬＥＤなどからなる光源１１をそれぞれ配置する凹部１２６が形成されている。第１の照明領域１２１は、図７（Ｂ）に図示される二重斜線で埋められた領域に相当し、この領域は液晶パネル４００の表示領域に相当する。
【００６３】
図７及び図８に示すように、導光板１２は、反射率の異なる第１部材１２７及び第２部材１２５の２種類の部材を用いて、例えば二色成形法により製造される。第２部材１２５は第１部材１２７よりも反射率が高い。図７（Ａ）において第１部材１２７は、右上がりの斜め斜線で埋められた部分であり、第２部材１２５は、右下がりの斜め斜線で埋められた部分である。尚、図７（Ｂ）において、第２部材１２５は右上がりの斜め斜線で埋められた部分である。第１部材１２７は透明の例えばポリカーボネート樹脂またはアクリル樹脂からなり、第２部材２１５は白色の例えばポリカーボネート樹脂またはアクリル樹脂からなる。図７及び図８に示すように、第２部材１２５は、第１の照明領域１２１を囲うように形成され、第２部材１２５により囲まれた領域のうち第２の照明領域１２２に近い領域に光源１１が配置されている。本実施形態においては、液晶パネル４００が配置される導光板１２の底壁１２４が、第２部材１２５とこの第２部材１２５とにより囲まれた領域とからなっている。一方、第２の照明領域１２２において、光源１１は第２の照明領域１２２のほぼ中央部に配置されている。
【００６４】
本実施形態における導光板１２を用いた携帯電話機１における光源１１から出射される光の向きについて図６を用いて説明する。図６において、実線で図示した矢印が光の向きを示す。図６に示すように、第１の照明領域１２１において、第２部材１２５により囲まれた領域に配置された光源１１から出射された光は導光板１２に入射し、第２部材１２５及び第１の反射材１５の底壁部分１５４で反射しながら第１の照明領域１２１に配置された液晶パネル４００を照明する。また、第１の照明領域１２１から第２の照明領域１２２に向かう光は、第２の照明領域１２２と隣り合う部分に沿って位置する第２部材１２５の一部分によって第１の照明領域１２１に向けて反射して液晶パネル４００に入射する。一方、第２の照明領域１２２においては、第２の照明領域１２２に配置された光源１１から出射された光は導光板１２に入射し、光源１１を中心にして放射状に外側に向かって進んできた光は、キーボタン１０１の側面から入射してキーボタン１０１を照明する。
【００６５】
以上のように本実施形態の照明装置においては、導光板１２の第１の照明領域１２１を囲うように反射率の高い第２部材１２５を設けることにより、第２部材１２５により第１の照明領域以外への光漏れが遮断され、また第２部材１２５により囲まれた領域に配置される光源１１から出射し第２部材１２５に向かって進む光は第２部材１２５によって反射して液晶パネル４００を照明する光として用いられるので、液晶パネル４００への光入射率が向上し、光利用効率に優れている。従って、このような照明装置を用いることにより、高い輝度を有する表示品位の高い携帯電話機を得ることができる。
【００６６】
（第２実施形態）
次に、第２実施形態の導光板１０１２について、図９及び図１０を用いて説明する。本実施形態においては、第１実施形態と比較して第２部材の配置が異なる。
【００６７】
図９は、導光板１０１２の構造を説明する概略図であり、図９（Ａ）は、図９（Ｂ）導光板１０１２の線９Ａ−９Ａ´で切断した断面図、図９（Ｂ）は導光板１０１２の平面図である。尚、図２に示す貫通穴１２５の図示をこれらの図では省略している。図１０は、光源から出射され、導光板１２に入射した光の流れを示す。
【００６８】
図９に示すように、導光板１０１２は、液晶パネル４００が配置される第１の照明領域１２１部分が矩形の凹部として形成されているとともに、第１の照明領域１２１に隣り合う領域には、複数のキーボタン１０１が配置される第２の照明領域１２２が形成されている。導光板１０１２の第１の照明領域１２１と第２の照明領域１２２との間であって、第１の照明領域１２１側には例えば２箇所、第２の照明領域１２２のほぼ中央部には例えば１箇所、ＬＥＤなどからなる光源１１をそれぞれ配置する凹部１２６が形成されている。第１の照明領域１２１は、図９（Ｂ）に図示される二重斜線で埋められた領域に相当し、この領域は液晶パネル４００の表示領域に相当する。
【００６９】
図９に示すように、導光板１０１２は、反射率の異なる第１部材１１２７及び第２部材１１２５の２種類の部材を用いて、例えば二色成形法により製造される。第２部材１１２５は第１部材１１２７よりも反射率が高い。図９（Ａ）において第１部材１１２７は、右上がりの斜め斜線で埋められた部分であり、第２部材１１２５は、右下がりの斜め斜線で埋められた部分である。尚、図９（Ｂ）において、第２部材１１２５は右上がりの斜め斜線で埋められた部分である。第１部材１１２７は透明の例えばポリカーボネート樹脂またはアクリル樹脂からなり、第２部材１２１５は白色の例えばポリカーボネート樹脂またはアクリル樹脂からなる。図９に示すように、第２部材１１２５は、第１の照明領域１２１と第２の照明領域１２２との間にこれら２つの照明領域が隣り合う部分に沿って配置されている。また、導光板１０１２の第１照明領域１２１に対し光を入射する光源１１は、第１の照明領域１２１と第２部材１１２５との間に配置されている。本実施形態においては、液晶パネル４００が配置される導光板１０１２の凹部の底壁１２４は、第２部材１１２５、第１の照明領域１２１及び光源１１が配置される第２部材１１２５と第１の照明領域１２１との間隙領域とからなっている。一方、第２の照明領域１２２において、光源１１は第２の照明領域１２２のほぼ中央部に配置されている。
【００７０】
本実施形態における導光板１０１２を用いた携帯電話機１における光源１１から出射される光の向きについて図１０を用いて説明する。図１０において、実線で図示した矢印が光の向きを示す。光源１１から出射される光は導光板に入射して液晶パネル４００を照射する。第１の照明領域１２１から第２の照明領域１２２に向かう光は、第２の照明領域１２２と隣り合う部分に沿って位置する第２部材１１２５によって第１の照明領域１２１に向けて反射して液晶パネル４００に入射する。一方、第２の照明領域１２２においては、第２の照明領域１２２に配置された光源１１から出射された光は導光板１０１２に入射し、光源１１を中心にして放射状に外側に向かって進んできた光は、キーボタン１０１の側面から入射してキーボタン１０１を照明する。
【００７１】
また、本形態の導光板１０２が搭載される携帯電話機１の一部である第１の反射材１５を、図１７に示すように、底壁部分１５４以外のキーボタン１０１側を除く３方を囲むように側壁部分１５１、１５２、１５３を設け、これら側壁部分を反射部材から形成することにより、図１０に示すように、第１の照明領域１２１において、第２部材１１２５と第１の照射領域１２１との間に配置された光源１１から出射された光は導光板１０１２に入射し、第１の反射材１５の側壁部分１５１、１５２、１５３及び底壁部分１５４で反射しながら第１の照明領域１２１に配置された液晶パネル４００を照明する。
【００７２】
以上のように本実施形態の照明装置においては、第１の照明領域１２１と第２照明領域１２２との間に光源１１を配置し、光源１１と第２の照明領域１２２との間に反射率の高い第２部材１１２５を設けることにより、第２部材１１２５により第１の照明領域１２１から第２の照明領域１２２への光漏れが遮断され、また、第１の照明領域１２１と第２部材１１２５との間に配置された光源１１から出射し第２部材１２５に向かって進む光は、第２部材１１２５によって反射して液晶パネル４００を照明する光として用いられるので、液晶パネル４００への光入射率が向上し、光利用効率に優れている。従って、このような照明装置を用いることにより、高い輝度を有する表示品位の高い携帯電話機を得ることができる。
【００７３】
（第３実施形態）
次に、第３実施形態の導光板１１１２について、図１１及び図１２を用いて説明する。本実施形態においては、第１及び第２実施形態と比較して第２部材の配置が異なる。
【００７４】
図１１は、導光板１１１２の構造を説明する概略図であり、図１１（Ａ）は、図１１（Ｂ）導光板１１１２の線１１Ａ−１１Ａ´で切断した断面図、図１１（Ｂ）は導光板１１１２の平面図である。尚、図２に示す貫通穴１２５の図示をこれらの図では省略している。図１０は、光源から出射され、導光板１２に入射した光の流れを示す。
【００７５】
図９に示すように、導光板１１１２は、液晶パネル４００が配置される第１の照明領域１２１部分が矩形の凹部として形成されているとともに、第１の照明領域１２１に隣り合う領域には、複数のキーボタン１０１が配置される第２の照明領域１２２が形成されている。導光板１１１２の第１の照明領域１２１と第２の照明領域１２２との間であって第１の照明領域１２１側に例えば２箇所、第２の照明領域１２２のほぼ中央部に例えば１箇所、ＬＥＤなどからなる光源１１をそれぞれ配置する凹部１２６が形成されている。第１の照明領域１２１は、図１１（Ｂ）に図示される二重斜線で埋められた領域に相当し、この領域は液晶パネル４００の表示領域に相当する。
【００７６】
図１１に示すように、導光板１１１２は、反射率の異なる第１部材２１２７及び第２部材２１２５の２種類の部材を用いて、例えば二色成形法により製造される。第２部材２１２５は第１部材２１２７よりも反射率が高い。図１１（Ａ）において第１部材２１２７は、右上がりの斜め斜線で埋められた部分であり、第２部材２１２５は、右下がりの斜め斜線で埋められた部分である。尚、図１１（Ｂ）において、第２部材２１２５は右上がりの斜め斜線で埋められた部分である。第１部材２１２７は透明の例えばポリカーボネート樹脂またはアクリル樹脂からなり、第２部材２１２５は白色の例えばポリカーボネート樹脂またはアクリル樹脂からなる。図１１に示すように、第２部材２１２５は、第１の照明領域１２１と第２の照明領域１２２との間にこれら２つの照明領域が隣り合う部分に沿って２つ間隙部２１２６をおいて配置されている。間隙部２１２６に相当する部分は第１部材２１２７によって形成されている。また、導光板１１１２の第１の照明領域１２１に対し光を入射する光源１１は、第１の照明領域１２１と第２部材２１２５との間に配置されている。本実施形態においては、液晶パネル４００が配置される凹部の底壁１２４は、第２部材２１２５、間隙部２１２６、第１の照明領域１２１及び光源１１が配置される第２部材１１２５と第１の照明領域１２１との間隙領域とからなっている。一方、第２の照明領域１２２において、光源１１は第２の照明領域１２２のほぼ中央部に配置されている。
【００７７】
本実施形態における導光板１１１２を用いた携帯電話機１における光源１１から出射される光の向きについて図１２を用いて説明する。図１２において、実線で図示した矢印が光の向きを示す。図１２に示すように、第１の照明領域１２１から第２の照明領域１２２に向かう光は、一部が、第２の照明領域１２２と隣り合う部分に沿って位置する第２部材２１２５によって第１の照明領域１２１に向けて反射して液晶パネル４００に入射し、残りの光は、２つの第２部材２１２５の間隙部２１２６を通って、第１の照明領域１２１から第２の照明領域１２２に向かって進んで、第２の照明領域１２２においてキーボタン１０１を照明する。従って、本形態によれば、共通の光源１１で、第１の照明領域１２１に配置される液晶パネル４００を照明できるとともに、第２の照明領域１２２のキーボタン１０１も照明できる。それゆえ、本実施形態に示すように、キーボタン１０１を照明するだけの光源１１を設けるとしても、この光源については、光量が少なくてすむ分、消費電力の小さなものを用いることができる。あるいは、キーボタン１０１を照明するだけの光源（本実施形態における第２の照明領域１２２に配置される光源１１）を省略することも可能である。一方、第２の照明領域１２２においては、第２の照明領域１２２に配置された光源１１から出射された光は導光板１１１２に入射し、光源１１を中心にして放射状に外側に向かって進んできた光は、キーボタン１０１の側面から入射してキーボタン１０１を照明する。
【００７８】
また、本形態の導光板１１１２が搭載される携帯電話機１の一部である第１の反射材１５を、図１７に示すように、底壁部分１５４以外のキーボタン１０１側を除く３方を囲むように側壁部分１５１、１５２、１５３を設け、これら側壁部分を反射部材から形成することにより、図１２に示すように、第１の照明領域１２１において、第２部材２１２５と第１の照射領域１２１との間に配置された光源１１から出射された光は導光板１１１２に入射し、第１の反射材１５の側壁部分１５１、１５２、１５３及び底壁部分１５４で反射しながら第１の照明領域１２１に配置された液晶パネル４００を照明する。
【００７９】
以上のように本実施形態の照明装置においては、第１の照明領域１２１と第２照明領域１２２との間に光源１１を配置し、光源１１と第２の照明領域１２２との間に反射率の高い第２部材２１２５を設けることにより、第１の照明領域１２１と第２部材２１２５との間に配置された光源１１から出射し第２部材２１２５に向かって進む光は、第２部材２１２５によって反射し液晶パネル４００を照射するのに用いられるため、液晶パネル４００への光入射率が向上し、光利用効率に優れている。従って、このような照明装置を用いることにより、高い輝度を有する表示品位の高い携帯電話機を得ることができる。
【００８０】
（第４実施形態）
第４実施形態の導光板１２１２について、図１３及び図１４を用いて説明する。本実施形態では、第１実施形態の構造に加え、第２の照明領域１２２を囲うように第１部材よりも反射率の高い部材を設けている構造となっている。
【００８１】
図１３は、導光板１２１２の構造を説明する概略図であり、図１３（Ａ）は、図１３（Ｂ）導光板１２１２の線１３Ａ−１３Ａ´で切断した断面図、図１３（Ｂ）は導光板１２１２の平面図である。尚、図２に示す貫通穴１２５の図示をこれらの図では省略している。図１４は、光源から出射され、導光板１２１２に入射した光の流れを示す。
【００８２】
図１３に示すように、導光板１２１２は、液晶パネル４００が配置される第１の照明領域１２１部分が矩形の凹部として形成されているとともに、第１の照明領域１２１に隣り合う領域には、複数のキーボタン１０１が配置される第２の照明領域１２２が形成されている。導光板１２１２の第１の照明領域１２１と第２の照明領域１２２との間であって、第１の照明領域１２１側には例えば２箇所、第２の照明領域１２２のほぼ中央部には例えば１箇所、ＬＥＤなどからなる光源１１をそれぞれ配置する凹部１２６が形成されている。第１の照明領域１２１は、
図１３（Ｂ）に図示される二重斜線で埋められた領域に相当し、この領域は液晶パネル４００の表示領域に相当する。
【００８３】
図１３に示すように、導光板１２１２は、反射率の異なる第１部材３１２７、第２部材４１２５及び第３部材３２１５の２種類の部材を用いて、例えば二色成形法により製造される。本実施形態においては、第２部材４１２５と第３部材３１２５は同じ部材から構成されており、これら部材は第１部材３１２７よりも高い反射率を有している。図１３（Ａ）において第１部材３１２７は、右上がりの斜め斜線で埋められた部分であり、第２部材４１２５及び第３部材３１２５は、右下がりの斜め斜線で埋められた部分である。尚、図１３（Ｂ）において、第２部材４１２５及び第３部材３１２５は右上がりの斜め斜線で埋められた部分である。第１部材３１２７は透明の例えばポリカーボネート樹脂またはアクリル樹脂からなり、第２部材４１２５及び第３部材３１２５は白色の例えばポリカーボネート樹脂またはアクリル樹脂からなる。
【００８４】
図１３に示すように、第２部材４１２５は、第１の照明領域１２１を囲うように形成され、第２部材４１２５により囲まれた領域のうち第２の照明領域１２２に近い領域に光源１１が配置されている。本実施形態においては、液晶パネル４００が配置される導光板１２の底壁１２４が、第２部材４１２５とこの第２部材４１２５とにより囲まれた領域とからなっている。第３部材３１２５は、第２の照明領域１２２を囲うように形成され、第２の照明領域１２２のほぼ中央部に第２の照明領域を照明する光源１１が配置されている。
【００８５】
本実施形態における導光板１２１２を用いた携帯電話機１における光源１１から出射される光の向きについて図１４を用いて説明する。図１４において、実線で図示した矢印が光の向きを示す。図１４に示すように、第１の照明領域１２１において、第２部材４１２５により囲まれた領域に配置された光源１１から出射された光は導光板１２１２に入射し、第２部材４１２５及び第１の反射材１５の底壁部分１５４で反射しながら第１の照明領域１２１に配置された液晶パネル４００を照明する。また、第１の照明領域１２１から第２の照明領域１２２に向かう光は、第２の照明領域１２２と隣り合う部分に沿って位置する第２部材４１２５によって第１の照明領域１２１に向けて反射して液晶パネル４００に入射する。一方、第２の照明領域１２２において、第３部材３１２５により囲まれた領域に配置された光源１１から出射された光は、導光板１２１２に入射し、光源１１を中心にして放射状に外側に向かって進み、第３部材３１２５及び第２の反射材１７で反射しながらキーボタン１０１の側面から入射してキーボタン１０１を照明する。また、第２の照明領域１２２から第１の照明領域１２１に向かう光は、第１の照明領域１２１と隣り合う部分に沿って位置する第３部材３１２５の一部分によって第２の照明領域１２２に向けて反射してキーボタン１０１に入射する。
【００８６】
以上のように本実施形態の照明装置においては、導光板１２１２の第１の照明領域１２１を囲うように反射率の高い第２部材４１２５を設けることにより、第２部材４１２５により第１の照明領域以外への光漏れが遮断され、また第２部材４１２５により囲まれた領域に配置される光源１１から出射し第２部材４１２５に向かって進む光は第２部材４１２５によって反射して液晶パネル４００を照明する光として用いられるので、液晶パネル４００への光入射率が向上し、光利用効率に優れている。更に、導光板１２１２の第２の照明領域１２２を囲うように反射率の高い第３部材３１２５を設けることにより、第３部材３１２５により第２の照明領域１２２以外への光漏れが遮断され、また第３部材３１２５により囲まれた領域に配置される光源１１から出射し第３部材３１２５に向かって進む光は第３部材３１２５によって反射するので、キーボタン１０１への光入射率が向上し、光利用効率に優れている。また、光利用効率が向上する分、光量が少なくてすむ分、消費電力の小さな光源を用いることができる。
【００８７】
従って、このような照明装置を用いることにより、高い輝度を有する表示品位の高い携帯電話機を得ることができ、消費電力化が可能な携帯電話機を得ることができる。
【００８８】
尚、本実施形態においては、第２部材４１２５と第３部材３１２５とは同じ部材を用いたが、反射率の異なる部材を用いても良い。
【００８９】
（第５実施形態）
第５実施形態の導光板１３１２について、図６及び図１５を用いて説明する。第１実施形態では第２部材１２５は全体の反射率が同じ部材を用いたが、本実施形態では第２部材５１２５が部分的に反射率が異なる部材を用いている。
【００９０】
図６は、光源から出射され、導光板１３１２に入射した光の流れを示す。図１５は、導光板１３１２の構造を説明する概略図であり、図１５（Ａ）は、図１５（Ｂ）導光板１３１２の線１５Ａ−１５Ａ´で切断した断面図、図１５（Ｂ）は導光板１３１２の平面図である。尚、図２に示す貫通穴１２５の図示をこれらの図では省略している。
【００９１】
図１５に示すように、導光板１３１２は、液晶パネル４００が配置される第１の照明領域１２１部分が矩形の凹部として形成されているとともに、第１の照明領域１２１に隣り合う領域には、複数のキーボタン１０１が配置される第２の照明領域１２２が形成されている。導光板１３１２の第１の照明領域１２１と第２の照明領域１２２との間であって、第１の照明領域１２１側には例えば２箇所、第２の照明領域１２２のほぼ中央部には例えば１箇所、ＬＥＤなどからなる光源１１をそれぞれ配置する凹部１２６が形成されている。第１の照明領域１２１は、図１５（Ｂ）に図示される二重斜線で埋められた領域に相当し、この領域は液晶パネル４００の表示領域に相当する。
【００９２】
図１５に示すように、導光板１３１２は、反射率の異なる第１部材４１２７及び第２部材５１２５の２種類の部材を用いて、例えば二色成形法により製造される。第２部材５１２５は第１部材４１２７よりも反射率が高く、また、第２部材５１２５は第２の照明領域１２２側から遠くなるに従って、反射率が段々と高くなっている。言い換えると、第１の照明領域１２１を照明する光源１１から遠くなるに従って、反射率が高くなるように第２部材５１２５を設けている。図１５（Ｂ）においては、第２部材５１２５の反射率のもっとも低い領域を濃いグレーで表し、反射率が高くなるほど白くなるようにグラデーションをつけて表している。図１５（Ａ）において第１部材４１２７は、右上がりの斜め斜線で埋められた部分であり、第２部材５１２５は、右下がりの斜め斜線で埋められた部分である。第１部材４１２７は透明の例えばポリカーボネート樹脂またはアクリル樹脂からなり、第２部材５１２５は最も反射率の高い領域が白色、最も反射率の低い領域が濃い灰色の例えばポリカーボネート樹脂またはアクリル樹脂からなる。図１５に示すように、第２部材５１２５は、第１の照明領域１２１を囲うように形成され、第２部材５１２５により囲まれた領域のうち第２の照明領域に近い領域に光源１１が配置されている。一方、第２の照明領域１２２において、光源１１は第２の照明領域１２２のほぼ中央部に配置されている。
【００９３】
本実施形態における導光板１２を用いた携帯電話機１における光源１１から出射される光の向きについて図６を用いて説明する。図６において、実線で図示した矢印が光の向きを示す。図６に示すように、第１の照明領域１２１において、第２部材５１２５により囲まれた領域に配置された光源１１から出射された光は導光板１３１２に入射し、第２部材５１２５及び第１の反射材１５の底壁部分１５４で反射しながら第１の照明領域１２１に配置された液晶パネル４００を照明する。また、第１の照明領域１２１から第２の照明領域１２２に向かう光は、第２の照明領域１２２と隣り合う部分に沿って位置する第２部材５１２５の一部分によって第１の照明領域１２１に向けて反射して液晶パネル４００に入射する。更に、第１の照明領域１２１において、光源１１に近いほど輝度が高い傾向にあるため、本実施形態のように、第１の照明領域１２１を照明する光源１１から遠くなるに従って反射率が高くなる第２部材５１２５を設けることにより、第１の照明領域１２１の面内での輝度を均一化することができる。一方、第２の照明領域１２２においては、第２の照明領域１２２に配置された光源１１から出射された光は導光板１３１２に入射し、光源１１を中心にして放射状に外側に向かって進んできた光は、キーボタン１０１の側面から入射してキーボタン１０１を照明する。
【００９４】
以上のように本実施形態の照明装置においては、導光板１３１２の第１の照明領域１２１を囲うように反射率の高い第２部材５１２５を設けることにより、第２部材５１２５により第１の照明領域以外への光漏れが遮断され、また第２部材５１２５により囲まれた領域に配置される光源１１から出射し第２部材５１２５に向かって進む光は第２部材５１２５によって反射するので、液晶パネル４００への光入射率が向上し、光利用効率に優れている。また、光源１１の位置に伴って部分的に反射率が異なるように第２部材５１２５を設けることにより、第１の照明領域において面内で均一な輝度を得ることができる。従って、このような照明装置を用いることにより、高い輝度を有する表示品位の高い携帯電話機を得ることができる。
【００９５】
本発明は、上述した構造に限定されるものでなく、種々変形が可能である。本発明に適用可能な液晶パネルとしては、パッシブマトリクス型の液晶表示パネル、アクティブマトリクス型の液晶表示パネル（例えば、ＴＦＴ（薄膜トランジスタ）やＴＦＤ（薄膜ダイオード）をスイッチング素子として備えた液晶表示パネル）等がある。
【００９６】
また、上述した実施形態では、電気光学パネルとして液晶パネルを用いた場合について説明したが、本発明はこれに限定されず、照明装置からの照明光を用いて表示を行う各種の電気光学パネルを用いることができる。例えば、電気泳動ディスプレイパネルなどに適用できる。
【００９７】
また、上述した実施形態では、電子機器として携帯電話機に適用した場合について説明したが、複数の表示領域を有する電子機器に適用することができ、例えば複数の液晶パネルを具備し各パネルを照明するのに用いられる導光板が一体形成されている電子機器や、表示領域と入力領域とを備えたタッチパネルを備えた機器に適用することができる。以下に、図１６を用いてタッチパネルを備えた機器について説明する。
【００９８】
図１６は液晶装置が搭載されたタッチパネルを備えた機器３１４である。タッチパネルを備えた機器３１４は、液晶装置４７０を搭載しており、液晶装置４１０の一部を構成する液晶パネルにより表示が行われる液晶表示領域３１４ａと、図面上この液晶表示領域３１４ａの下部に位置する入力用シート３１４ｂが配置された第１入力領域３１４ｃとを有している。液晶装置４７０は矩形状の液晶パネルと矩形状の第２のパネルとして入力用パネルとして機能するタッチパネルとが平面的に重なり合う構造を有しており、タッチパネルが液晶パネルよりも大きく、タッチパネルは液晶パネルの一端部から突き出した形状となっている。
【００９９】
液晶表示領域３１４ａ及び第１入力領域３１４ｃにはタッチパネルが配置されており、液晶表示領域３１４ａに対応する領域も、第１入力領域３１４ｃと同様に入力操作可能な第２入力領域３１４ｄとして機能する。タッチパネルは、液晶パネル側に位置する第２面とこれと対向する第１面とを有しており、第１面の第１入力領域３１４ｃに相当する位置には入力用シート３１４ｂが貼られている。入力用シート３１４ｂにはアイコン３１４ｅ及び手書き文字認識領域３１４ｆを識別するための枠が印刷されており、第１入力領域３１４ｃにおいては、アイコン３１４ｅの選択や手書き文字認識領域３１４ｆでの文字入力を、入力用シート３１４ｂを介してタッチパネルの第１面を指やペンなどの入力手段で荷重をかけることにより行い、データ入力などを実施することができる。一方、第２入力領域３１４ｄにおいては、液晶パネル２の像を観察することができるほか、後述する液晶パネル２に例えばモードを表示させ、この表示されるモードの選択をタッチパネルの第１面を指やペンで荷重をかけることによってデータ入力などを実施することができる。
【０１００】
液晶表示領域３１４ａ及び第１入力領域３１４ｃは、いずれも図示しない照明装置から照明される。照明装置は、上述の携帯電話機で説明した導光板１２と同様に、第１の照明領域と第２の照明領域を有する導光板と、各照明領域を照明する光源とを有している。第１の照明領域は液晶表示領域３１４ａを照明するものであり、第２の照明領域は第１入力領域３１４ｃを照明するものである。例えば、導光板は、上述の第１実施形態のように、反射率の異なる第１部材及び第２部材の２種類の部材を用いて、例えば二色成形法により製造される。第１部材は透明の例えばポリカーボネート樹脂またはアクリル樹脂からなり、第２部材は、第１部材より反射率の高い部材、例えば白色のポリカーボネート樹脂またはアクリル樹脂からなる。第２部材は、第１の照明領域を囲うように形成される。このような構造とすることにより、第１の照明領域の輝度を向上させることができ、表示品位の高いタッチパネルを供えた機器を得ることができる。
【図面の簡単な説明】
【図１】本発明の電子機器としての携帯電話機の外観を示す斜視図である。
【図２】図１に示す携帯電話機の要部の構成を示す分解斜視図である。
【図３】図１に示す携帯電話機の一部を構成する液晶パネルの斜視図である。
【図４】図１に示す携帯電話機の一部を構成する液晶パネルの分解斜視図である。
【図５】液晶パネルを図３の線Ｉ−Ｉ´で切断したときのＩ´側の端部の断面図である。
【図６】本発明の第１実施形態または第５実施形態に係る導光板における光源から出射され、導光板に入射した光の流れを示す図である。
【図７】本発明の第１実施形態に係る導光板の構造を説明する概略図であり、図７（Ａ）は、図７（Ｂ）導光板の線７Ａ−７Ａ´で切断した断面図、図７（Ｂ）は導光板の平面図である。
【図８】携帯電話機としたときの、第１実施形態に係る導光板、液晶パネル、反射材及び回路基板との位置関係を示す図である。
【図９】本発明の第２実施形態に係る導光板の構造を説明する概略図であり、図９（Ａ）は、図９（Ｂ）導光板の線９Ａ−９Ａ´で切断した断面図、図９（Ｂ）は導光板の平面図である。
【図１０】本発明の第２実施形態に係る導光板における光源から出射され、導光板に入射した光の流れを示す図である。
【図１１】本発明の第３実施形態に係る導光板の構造を説明する概略図であり、図１１（Ａ）は、図１１（Ｂ）導光板の線１１Ａ−１１Ａ´で切断した断面図、図１１（Ｂ）は導光板の平面図である。
【図１２】本発明の第３実施形態に係る導光板における光源から出射され、導光板に入射した光の流れを示す図である。
【図１３】本発明の第４実施形態に係る導光板の構造を説明する概略図であり、図１３（Ａ）は、図１３（Ｂ）導光板の線１３Ａ−１３Ａ´で切断した断面図、図１３（Ｂ）は導光板の平面図である。
【図１４】本発明の第４実施形態に係る導光板における光源から出射され、導光板に入射した光の流れを示す図である。
【図１５】本発明の第５実施形態に係る導光板の構造を説明する概略図であり、図１５（Ａ）は、図１５（Ｂ）導光板の線１５Ａ−１５Ａ´で切断した断面図、図１５（Ｂ）は導光板の平面図である。
【図１６】本発明の他の電子機器に係るタッチパネルを供えた機器の斜視図である。
【図１７】本発明の他の携帯電話機の要部の構成を示す分解斜視図である。
【図１８】従来の携帯電話機を説明する図である。
【符号の説明】
１…携帯電話機
１１…光源
１２，１０１２、１１１２、１２１２、１３１２…導光板
１０１…キーボタン
１２１…第１の照明領域
１２２…第２の照明領域
１２５、１１２５、２１２５、４１２５、５１２５、５１２５…第２部材
１２７、１１２７、２１２７、３１２７、４１２７…第１部材
３１４…タッチパネルを供えた機器
４００…液晶パネル
４０４…液晶
２１２６…間隙部
３１２５…第３部材
【図１】
2004101742.tif 000003
【図２】
2004101742.tif 000004
【図３】
2004101742.tif 000005
【図４】
2004101742.tif 000006
【図５】
2004101742.tif 000007
【図６】
2004101742.tif 000008
【図７】
2004101742.tif 000009
【図８】
2004101742.tif 000010
【図９】
2004101742.tif 000011
【図１０】
2004101742.tif 000012
【図１１】
2004101742.tif 000013
【図１２】
2004101742.tif 000014
【図１３】
2004101742.tif 000015
【図１４】
2004101742.tif 000016
【図１５】
2004101742.tif 000017
【図１６】
2004101742.tif 000018
【図１７】
2004101742.tif 000019
【図１８】
2004101742.tif 000020